(57)【要約】    【課題】従来の構内電話網およびＬＡＮ網を有効に活用しつつ、各網に接続された端末装置を相互に活用する。    【手段】ユーザＡが、ＰＣ＿Ａにおいて、ユーザＢを検索すると、接続制御サーバ装置１１０は、ユーザＢにかかる情報を読み出してＰＣ＿Ａに送信する。ユーザＡが、ＰＣ＿Ａにおいて、ユーザＢにテレビ電話をかける操作を行うと、接続制御サーバ装置１１０は、ユーザＡおよびユーザＢにかかるそれぞれの内線電話を呼び出す。ユーザＢのＰＣ＿Ｂには、テレビ電話画面が表示される。ユーザＢが内線電話＿Ｂに出ると、ＰＢＸ装置１３０は内線電話＿Ａと内線電話＿Ｂを接続して音声通話を可能とし、接続制御サーバ装置１１０はＰＣ＿ＡとＰＣ＿Ｂを接続してＰＣカメラによる映像の送受信を可能とする。【選択図】  図１
2009094766.tif 000002
【特許請求の範囲】
【請求項１】
少なくとも２以上の端末装置が接続された第１のネットワーク、少なくとも２以上の端末装置が接続された第２のネットワーク、前記第１のネットワークに接続された第１のサーバ装置、ならびに、前記第１のサーバ装置および前記第２のネットワークに接続された第２のサーバ装置、を備えた接続制御システムであって、
前記第１のサーバ装置は、
第１のネットワークに接続された端末装置が、第２のネットワークに接続された端末装置のいずれに対応しているかを示す端末対応関係を記録した記録部と、
第１のネットワークまたは第２のネットワークに接続された任意の端末装置から当該端末装置と同一ネットワークに接続された別の端末装置に対して接続要求が行われたことを検知する接続要求検知手段と、
前記接続要求検知手段において検知した、前記任意の端末装置から前記別の端末装置への接続要求に基づいて、前記記録部に記録した端末対応関係を参照し、前記任意の端末装置および前記別の端末装置のそれぞれに対応する別のネットワーク内の端末装置がいずれであるかを取得する対応端末取得手段と、
前記接続要求にかかる所定の端末装置同士、または、前記対応端末取得手段において取得した別のネットワーク内の所定の端末装置同士、が互いに接続できるように接続指示を行う接続指示手段と、
前記接続指示を受けて、前記第１のネットワークに接続された所定の端末装置同士を接続する第１の端末接続手段とを備え、
前記第２のサーバ装置は、
前記第１のサーバ装置からの接続指示を受けて、前記第２のネットワークに接続された所定の端末装置同士を接続する第２の端末接続手段を備えたこと
を特徴とする接続制御システム。
【請求項２】
請求項１の接続制御システムにおいて、
前記第１のネットワークまたは第２のネットワークに接続された端末装置は、
当該端末装置が接続されたネットワーク内における別の端末装置に対して接続要求を行う接続要求手段と、
前記第１のサーバ装置または前記第２のサーバ装置からの指令を受けて、当該端末装置が接続されたネットワーク内における別の端末装置との接続を実行する接続実行手段とを備えたこと
を特徴とする接続制御システム。
【請求項３】
少なくとも２以上の端末装置が接続された第１のネットワーク、少なくとも２以上の端末装置が接続された第２のネットワーク、前記第１のネットワークに接続された第１のサーバ装置、ならびに、前記第１のサーバ装置および前記第２のネットワークに接続された第２のサーバ装置、を備えた接続制御システムであって、
前記第１のサーバ装置は、
第１のネットワークに接続された端末装置が、第２のネットワークに接続された端末装置のいずれに対応しているかを示す端末対応関係を記録した記録部と、
第１のネットワーク内において、任意の端末装置から別の端末装置に対して接続要求が行われたことを検知する接続要求検知手段と、
前記接続要求検知手段において検知した、任意の端末装置から別の端末装置への接続要求に基づいて、前記記録部に記録した端末対応関係を参照し、前記任意の端末装置および別の端末装置のそれぞれに対応する第２のネットワーク内の端末装置がいずれであるかを取得する対応端末取得手段と、
前記対応端末取得手段において取得した第２のネットワーク内の所定の端末同士が互いに接続できるように、前記第２のサーバ装置に対して端末の接続指示を行う接続指示手段とを備え、
前記第２のサーバ装置は、
前記第１のサーバ装置からの接続指示を受けて、前記第２のネットワークに接続された前記所定の端末同士を接続する端末接続手段を備えたこと
を特徴とする接続制御システム。
【請求項４】
請求項３の接続制御システムにおいて、
前記第１のネットワークに接続された端末装置は、
当該端末装置が接続されたネットワーク内における別の端末装置に対して接続要求を行う接続要求手段を備え、
前記第２のネットワークに接続された端末装置は、
前記第２のサーバ装置からの指令を受けて、当該端末装置が接続されたネットワーク内における別の端末装置との接続を実行する接続実行手段とを備えたこと
を特徴とする接続制御システム。
【請求項５】
少なくとも２以上の端末装置が接続された第１のネットワーク、少なくとも２以上の端末装置が接続された第２のネットワーク、前記第１のネットワークに接続された第１のサーバ装置、ならびに、前記第１のサーバ装置および前記第２のネットワークに接続された第２のサーバ装置、を備えた接続制御システムであって、
前記第１のサーバ装置は、
第１のネットワークに接続された端末装置が、第２のネットワークに接続された端末装置のいずれに対応しているかを示す端末対応関係を記録した記録部と、
第２のネットワーク内において、任意の端末装置から別の端末装置に対して接続要求が行われたことを検知する接続要求検知手段と、
前記接続要求検知手段において検知した、任意の端末装置から別の端末装置への接続要求に基づいて、前記記録部に記録した端末対応関係を参照し、前記任意の端末装置および別の端末装置のそれぞれに対応する第１のネットワーク内の端末装置がいずれであるかを取得する対応端末取得手段と、
前記対応端末取得手段において取得した第１のネットワーク内の所定の端末同士が互いに接続できるように、端末の接続指示を行う接続指示手段と、
前記接続指示を受けて、前記第１のネットワークに接続された前記所定の端末同士を接続する端末接続手段を備えたこと
を特徴とする接続制御システム。
【請求項６】
請求項５の接続制御システムにおいて、
前記第２のネットワークに接続された端末装置は、
当該端末装置が接続されたネットワーク内における別の端末装置に対して接続要求を行う接続要求手段を備え、
前記第１のネットワークに接続された端末装置は、
前記第１のサーバ装置からの指令を受けて、当該端末装置が接続されたネットワーク内における別の端末装置との接続を実行する接続実行手段とを備えたこと
を特徴とする接続制御システム。
【請求項７】
少なくとも２以上の端末装置が接続された第２のネットワークに接続された第２サーバ装置とともに接続制御システムを構成する接続制御サーバ装置であって、当該接続制御サーバ装置は、少なくとも２以上の端末装置が接続された第１のネットワークに接続されており、
第１のネットワークに接続された端末装置が、第２のネットワークに接続された端末装置のいずれに対応しているかを示す端末対応関係を記録した記録部と、
第１のネットワークまたは第２のネットワークに接続された任意の端末装置から当該端末装置と同一ネットワークに接続された別の端末装置に対して接続要求が行われたことを検知する接続要求検知手段と、
前記接続要求検知手段において検知した、前記任意の端末装置から前記別の端末装置への接続要求に基づいて、前記記録部に記録した端末対応関係を参照し、前記任意の端末装置および前記別の端末装置のそれぞれに対応する別のネットワーク内の端末装置がいずれであるかを取得する対応端末取得手段と、
前記接続要求にかかる所定の端末装置同士、または、前記対応端末取得手段において取得した別のネットワーク内の所定の端末装置同士、が互いに接続できるように接続指示を行う接続指示手段とを備えたこと
を特徴とする接続制御サーバ装置。
【請求項８】
少なくとも２以上の端末装置が接続された第２のネットワークに接続された第２サーバ装置とともに接続制御システムを構成する接続制御サーバ装置であって、第１のネットワークに接続された端末装置が、第２のネットワークに接続された端末装置のいずれに対応しているかを示す端末対応関係を記録した記録部を有する接続制御サーバ装置をコンピュータを用いて実現するためのプログラムであって、コンピュータに以下の手段を構成させることを特徴とするプログラム：
第１のネットワークまたは第２のネットワークに接続された任意の端末装置から当該端末装置と同一ネットワークに接続された別の端末装置に対して接続要求が行われたことを検知する接続要求検知手段と、
前記接続要求検知手段において検知した、前記任意の端末装置から前記別の端末装置への接続要求に基づいて、前記記録部に記録した端末対応関係を参照し、前記任意の端末装置および前記別の端末装置のそれぞれに対応する別のネットワーク内の端末装置がいずれであるかを取得する対応端末取得手段と、
前記接続要求にかかる所定の端末装置同士、または、前記対応端末取得手段において取得した別のネットワーク内の所定の端末装置同士、が互いに接続できるように接続指示を行う接続指示手段。
【請求項９】
請求項７または８の接続制御サーバ装置またはこのプログラムにおいて、
前記第１のネットワークは、コンピュータ装置が接続されたＬＡＮ網であり、
前記第２のネットワークは、電話機が接続されたＰＢＸ網であること
を特徴とする接続制御サーバ装置またはこのプログラム。
【請求項１０】
請求項９の接続制御サーバ装置またはこのプログラムにおいて、
前記第１のネットワークのコンピュータ装置が行う接続要求は、第１のネットワーク上で画像データを送受信し、第２のネットワーク上で音声データを送受信するテレビ電話接続であること
を特徴とする接続制御サーバ装置またはこのプログラム。
【請求項１１】
請求項９の接続制御サーバ装置またはこのプログラムにおいて、
前記第１のネットワークのコンピュータ装置が行う接続要求は、第２のネットワーク上で音声データを送受信し、第１のネットワーク上でコンピュータ装置内の所定データを送受信するものであること
を特徴とする接続制御サーバ装置またはこのプログラム。
【請求項１２】
請求項１１の接続制御サーバ装置またはこのプログラムにおいて、
前記第１のネットワーク上で送受信するコンピュータ装置内の所定データは、当該コンピュータ装置のディスプレイ画面であること
を特徴とする接続制御サーバ装置またはこのプログラム。
【請求項１３】
請求項７または８の接続制御サーバ装置またはこのプログラムにおいて、
前記第１のネットワークは、電話機が接続されたＰＢＸ網であり、
前記第２のネットワークは、コンピュータ装置が接続されたＬＡＮ網であること、
を特徴とする接続制御サーバ装置またはこのプログラム。
【請求項１４】
第１のネットワークに接続された第１のサーバ装置ならびに、前記第１のサーバ装置および第２のネットワークに接続された第２のサーバ装置とともに接続制御システムを構成する端末装置であって、
当該端末装置は、少なくとも２以上の端末装置が接続された第１のネットワークまたは少なくとも２以上の端末装置が接続された第２のネットワークに接続されており、
当該端末装置が接続されたネットワーク内における別の端末装置に対して接続要求を行う接続要求手段と、
前記第１のサーバ装置または前記第２のサーバ装置からの指令を受けて、当該端末装置が接続されたネットワーク内における別の端末装置との接続を実行する接続実行手段とを備えたこと
を特徴とする端末装置。
【請求項１５】
第１のネットワークに接続された第１のサーバ装置ならびに、前記第１のサーバ装置および第２のネットワークに接続された第２のサーバ装置とともに接続制御システムを構成する端末装置をコンピュータを用いて実現するためのプログラムであって、コンピュータに以下の手段を構成させることを特徴とするプログラム：
当該端末装置が接続されたネットワーク内における別の端末装置に対して接続要求を行う接続要求手段と、
前記第１のサーバ装置または前記第２のサーバ装置からの指令を受けて、当該端末装置が接続されたネットワーク内における別の端末装置との接続を実行する接続実行手段。
【請求項１６】
少なくとも２以上の端末装置が接続された第１のネットワーク、少なくとも２以上の端末装置が接続された第２のネットワーク、前記第１のネットワークに接続された第１のサーバ装置、ならびに、前記第１のサーバ装置および前記第２のネットワークに接続された第２のサーバ装置、を用いた接続制御方法であって、
前記第１のサーバ装置は、
第１のネットワークに接続された端末装置が、第２のネットワークに接続された端末装置のいずれに対応しているかを示す端末対応関係を記録した記録部を備えており、
第１のネットワークまたは第２のネットワークに接続された任意の端末装置から当該端末装置と同一ネットワークに接続された別の端末装置に対して接続要求が行われたことを検知する接続要求検知ステップと、
前記接続要求検知ステップにおいて検知した、前記任意の端末装置から前記別の端末装置への接続要求に基づいて、前記記録部に記録した端末対応関係を参照し、前記任意の端末装置および前記別の端末装置のそれぞれに対応する別のネットワーク内の端末装置がいずれであるかを取得する対応端末取得ステップと、
前記接続要求にかかる所定の端末装置同士、または、前記対応端末取得ステップにおいて取得した別のネットワーク内の所定の端末装置同士、が互いに接続できるように接続指示を行う接続指示ステップと、
前記接続指示を受けて、前記第１のネットワークに接続された所定の端末装置同士を接続する第１の端末接続ステップとを実行し、
前記第２のサーバ装置は、
前記第１のサーバ装置からの接続指示を受けて、前記第２のネットワークに接続された所定の端末装置同士を接続する第２の端末接続ステップを実行すること
を特徴とする接続制御方法。
【請求項１７】
第１のユーザ端末装置が接続された第１のネットワーク、第２のユーザ端末装置が接続された第２のネットワーク、前記第１のネットワークに接続された第１のサーバ装置、ならびに、前記第１のサーバ装置および前記第２のネットワークに接続された第２のサーバ装置、を備えた端末ロックシステムであって、
前記第１のサーバ装置は、
第１のネットワークに接続された第１のユーザ端末装置が、第２のネットワークに接続された第２のユーザ端末装置のいずれに対応しているかを示す端末対応関係を記録した記録部と、
前記第２のサーバ装置から、前記第２のネットワークに接続された第２のユーザ端末装置の位置情報を取得して前記記録部に記録する位置記録手段と、
第１のユーザ端末装置および第２のユーザ端末装置について前記記録部に記録されたそれぞれの位置情報を比較して、対応する端末装置同士が同一範囲内に位置しているか否かを判定する位置比較判定手段と、
前記位置比較判定手段において、対応する端末装置同士が同一範囲内に位置しない場合には、第１のユーザ端末装置に対して端末ロック指示を行う端末ロック指示手段とを備え、
前記第２のサーバ装置は、
前記第２のネットワークに接続された第２のユーザ端末装置の位置情報を、前記第１のサーバ装置に通知する位置通知手段を備え、
前記第１のユーザ端末装置は、
前記第１のサーバ装置からの指示を受けて、自己の端末装置についてロックを行う端末ロック手段を備えたこと
を特徴とする端末ロックシステム。
【請求項１８】
第１のユーザ端末装置が接続された第１のネットワーク、第２のユーザ端末装置が接続された第２のネットワークおよび、前記第２のネットワークに接続された第２のサーバ装置とともに端末ロックシステムを構成する接続制御サーバ装置であって、当該接続制御サーバ装置は、第１のネットワークおよび第２のサーバ装置に接続されており、
第１のネットワークに接続された第１のユーザ端末装置が、第２のネットワークに接続された第２のユーザ端末装置のいずれに対応しているかを示す端末対応関係を記録した記録部と、
前記第２のサーバ装置から、前記第２のネットワークに接続された第２のユーザ端末装置の位置情報を取得して前記記録部に記録する位置記録手段と、
第１のユーザ端末装置および第２のユーザ端末装置について前記記録部に記録されたそれぞれの位置情報を比較して、対応する端末装置同士が同一範囲内に位置しているか否かを判定する位置比較判定手段と、
前記位置比較判定手段において、対応する端末装置同士が同一範囲内に位置しない場合には、第１のユーザ端末装置に対して端末ロック指示を行う端末ロック指示手段とを備えたこと
を特徴とする接続制御サーバ装置。
【請求項１９】
第１のユーザ端末装置が接続された第１のネットワーク、第２のユーザ端末装置が接続された第２のネットワークおよび、前記第２のネットワークに接続された第２のサーバ装置とともに端末ロックシステムを構成する接続制御サーバ装置であって、第１のネットワークおよび第２のサーバ装置に接続された接続制御サーバ装置であって、第１のネットワークに接続された第１のユーザ端末装置が、第２のネットワークに接続された第２のユーザ端末装置のいずれに対応しているかを示す端末対応関係を記録した記録部を有する接続制御サーバ装置、をコンピュータを用いて実現するためのプログラムであって、コンピュータに以下の手段を構成させることを特徴とするプログラム：
前記第２のサーバ装置から、前記第２のネットワークに接続された第２のユーザ端末装置の位置情報を取得して前記記録部に記録する位置記録手段と、
第１のユーザ端末装置および第２のユーザ端末装置について前記記録部に記録されたそれぞれの位置情報を比較して、対応する端末装置同士が同一範囲内に位置しているか否かを判定する位置比較判定手段と、
前記位置比較判定手段において、対応する端末装置同士が同一範囲内に位置しない場合には、第１のユーザ端末装置に対して端末ロック指示を行う端末ロック指示手段。
【請求項２０】
請求項１８または１９の接続制御サーバ装置またはこのプログラムにおいて、
前記第１のネットワークは、コンピュータ装置が接続されたＬＡＮ網であり、
前記第２のネットワークは、複数のアクセスポイントを経由して無線電話機が接続されたＰＢＸ網であること
を特徴とする接続制御サーバ装置またはこのプログラム。
【請求項２１】
請求項２０の接続制御サーバ装置またはこのプログラムにおいて、
前記第１のネットワークは、複数のアクセスポイントを経由してコンピュータ装置が接続された無線ＬＡＮ網であり、
前記接続制御サーバ装置は、前記コンピュータ装置の位置情報を更新する位置情報更新手段をさらに備えたこと
を特徴とする接続制御サーバ装置またはこのプログラム。
【請求項２２】
第１のネットワークに接続された第１のサーバ装置ならびに、前記第１のサーバ装置および第２のネットワークに接続された第２のサーバ装置とともに端末ロックシステムを構成するユーザ端末装置であって、
当該ユーザ端末装置は、前記第１のネットワークに接続されており、
前記第１のサーバ装置からの指示を受けて、自己の端末装置についてロックを行う端末ロック手段を備えたこと
を特徴とする端末装置。
【請求項２３】
第１のネットワークに接続された第１のサーバ装置ならびに、前記第１のサーバ装置および第２のネットワークに接続された第２のサーバ装置とともに端末ロックシステムを構成するユーザ端末装置をコンピュータを用いて実現するためのプログラムであって、コンピュータに以下の手段を構成させることを特徴とするプログラム：
前記第１のサーバ装置からの指示を受けて、自己の端末装置についてロックを行う端末ロック手段。
【請求項２４】
第１のユーザ端末装置が接続された第１のネットワーク、第２のユーザ端末装置が接続された第２のネットワーク、前記第１のネットワークに接続された第１のサーバ装置、ならびに、前記第１のサーバ装置および前記第２のネットワークに接続された第２のサーバ装置、を用いた端末ロック方法であって、
前記第１のサーバ装置は、
第１のネットワークに接続された第１のユーザ端末装置が、第２のネットワークに接続された第２のユーザ端末装置のいずれに対応しているかを示す端末対応関係を記録した記録部を備えており、
前記第２のサーバ装置から、前記第２のネットワークに接続された第２のユーザ端末装置の位置情報を取得して前記記録部に記録する位置記録ステップと、
第１のユーザ端末装置および第２のユーザ端末装置について前記記録部に記録されたそれぞれの位置情報を比較して、対応する端末装置同士が同一範囲内に位置しているか否かを判定する位置比較判定ステップと、
前記位置比較判定ステップにおいて、対応する端末装置同士が同一範囲内に位置しない場合には、第１のユーザ端末装置に対して端末ロック指示を行う端末ロック指示ステップとを実行し、
前記第２のサーバ装置は、
前記第２のネットワークに接続された第２のユーザ端末装置の位置情報を、前記第１のサーバ装置に通知する位置通知ステップを実行し、
前記第１のユーザ端末装置は、
前記第１のサーバ装置からの指示を受けて、自己の端末装置についてロックを行う端末ロックステップを実行すること
を特徴とする端末ロック方法。
【発明の詳細な説明】
【技術分野】
【０００１】
この発明は、異なるネットワークに接続された端末間における接続を制御するための接続制御システムに関する。
【背景技術】
【０００２】
昨今、ＩＰ通信技術の発達により、通常のデータ通信回線を用いて電話回線を構築するＶｏＩＰ（Voice over Internet Protocol）技術が知られている。
【０００３】
また、音声データの送受信による電話回線のみならず、同時に、通話者画像を送受信することによって、テレビ電話システムが構築可能である（例えば、特許文献１参照。）。
【０００４】
【特許文献１】特開２００３−１７４５０７号
【発明の開示】
【発明が解決しようとする課題】
【０００５】
しかしながら、ＩＰ通信技術による問題点としてパケット遅延がある。例えば、ＩＰネットワーク上を流れるデータ量が増加すると、音声データを構成するパケットデータが遅延して、通話音声がとぎれとぎれとなってしまう。このような音声品質の低下により、ＶｏＩＰは、会話を中心とする重要な業務には適していないといえる。
【０００６】
また、テレビ電話システムにおいてＶｏＩＰを導入した場合であっても、音声品質の劣化は避けられず、映像データ分の増加により通話音声が、より悪化することが考えられる。
【０００７】
さらに、ＶｏＩＰによる内線電話を導入していない企業においては、従来のＰＢＸ（Private Branch eXchange）を用いた構内電話網が構築されている。このため、従来の構内電話網を有効に活用してコスト上昇を抑えたいという要望もある。
【０００８】
この発明は、上記のような問題点を解決し、従来の構内電話網およびＬＡＮ網を有効に活用しつつ、各網に接続された端末装置を相互に活用することのできる接続制御システムを提供することを目的とする。
【課題を解決するための手段】
【０００９】
(1)(2)(7)(8)(14)(15)(16)この発明の接続制御システムは、
少なくとも２以上の端末装置が接続された第１のネットワーク、少なくとも２以上の端末装置が接続された第２のネットワーク、前記第１のネットワークに接続された第１のサーバ装置、ならびに、前記第１のサーバ装置および前記第２のネットワークに接続された第２のサーバ装置、を備えた接続制御システムであって、
前記第１のサーバ装置は、
第１のネットワークに接続された端末装置が、第２のネットワークに接続された端末装置のいずれに対応しているかを示す端末対応関係を記録した記録部と、
第１のネットワークまたは第２のネットワークに接続された任意の端末装置から当該端末装置と同一ネットワークに接続された別の端末装置に対して接続要求が行われたことを検知する接続要求検知手段と、
前記接続要求検知手段において検知した、前記任意の端末装置から前記別の端末装置への接続要求に基づいて、前記記録部に記録した端末対応関係を参照し、前記任意の端末装置および前記別の端末装置のそれぞれに対応する別のネットワーク内の端末装置がいずれであるかを取得する対応端末取得手段と、
前記接続要求にかかる所定の端末装置同士、または、前記対応端末取得手段において取得した別のネットワーク内の所定の端末装置同士、が互いに接続できるように接続指示を行う接続指示手段と、
前記接続指示を受けて、前記第１のネットワークに接続された所定の端末装置同士を接続する第１の端末接続手段とを備え、
前記第２のサーバ装置は、
前記第１のサーバ装置からの接続指示を受けて、前記第２のネットワークに接続された所定の端末装置同士を接続する第２の端末接続手段を備えたこと
を特徴とする。したがって、従来の構内電話網およびＬＡＮ網を有効に活用しつつ、各網に接続された端末装置を連係して相互に活用することができる。
【００１０】
(3)この発明の接続制御システムは、
少なくとも２以上の端末装置が接続された第１のネットワーク、少なくとも２以上の端末装置が接続された第２のネットワーク、前記第１のネットワークに接続された第１のサーバ装置、ならびに、前記第１のサーバ装置および前記第２のネットワークに接続された第２のサーバ装置、を備えた接続制御システムであって、
前記第１のサーバ装置は、
第１のネットワークに接続された端末装置が、第２のネットワークに接続された端末装置のいずれに対応しているかを示す端末対応関係を記録した記録部と、
第１のネットワーク内において、任意の端末装置から別の端末装置に対して接続要求が行われたことを検知する接続要求検知手段と、
前記接続要求検知手段において検知した、任意の端末装置から別の端末装置への接続要求に基づいて、前記記録部に記録した端末対応関係を参照し、前記任意の端末装置および別の端末装置のそれぞれに対応する第２のネットワーク内の端末装置がいずれであるかを取得する対応端末取得手段と、
前記対応端末取得手段において取得した第２のネットワーク内の所定の端末同士が互いに接続できるように、前記第２のサーバ装置に対して端末の接続指示を行う接続指示手段とを備え、
前記第２のサーバ装置は、
前記第１のサーバ装置からの接続指示を受けて、前記第２のネットワークに接続された前記所定の端末同士を接続する端末接続手段を備えたこと
を特徴とする。したがって、ＬＡＮ網に接続されたコンピュータ装置を操作して、ＰＢＸ網に接続された内線電話を連係して相互に活用することができる。
【００１１】
(4)この発明の接続制御システムは、
少なくとも２以上の端末装置が接続された第１のネットワーク、少なくとも２以上の端末装置が接続された第２のネットワーク、前記第１のネットワークに接続された第１のサーバ装置、ならびに、前記第１のサーバ装置および前記第２のネットワークに接続された第２のサーバ装置、を備えた接続制御システムであって、
前記第１のサーバ装置は、
第１のネットワークに接続された端末装置が、第２のネットワークに接続された端末装置のいずれに対応しているかを示す端末対応関係を記録した記録部と、
第２のネットワーク内において、任意の端末装置から別の端末装置に対して接続要求が行われたことを検知する接続要求検知手段と、
前記接続要求検知手段において検知した、任意の端末装置から別の端末装置への接続要求に基づいて、前記記録部に記録した端末対応関係を参照し、前記任意の端末装置および別の端末装置のそれぞれに対応する第１のネットワーク内の端末装置がいずれであるかを取得する対応端末取得手段と、
前記対応端末取得手段において取得した第１のネットワーク内の所定の端末同士が互いに接続できるように、端末の接続指示を行う接続指示手段と、
前記接続指示を受けて、前記第１のネットワークに接続された前記所定の端末同士を接続する端末接続手段を備えたこと
を特徴とする。したがって、ＰＢＸ網に接続された内線電話を操作して、ＬＡＮ網に接続されたコンピュータ装置を連係して相互に活用することができる。
【００１２】
(9)この発明の接続制御システムにおいては、
第１のネットワークは、コンピュータ装置が接続されたＬＡＮ網であり、
第２のネットワークは、電話機が接続されたＰＢＸ網であること
を特徴とする。したがって、ユーザは、コンピュータ装置を操作するだけで、相手の電話機と自己の電話機を接続することができる。
【００１３】
(10)この発明の接続制御システムにおいては、
第１のネットワークのコンピュータ装置が行う接続要求は、第１のネットワーク上で画像データを送受信し、第２のネットワーク上で音声データを送受信するテレビ電話接続であること
を特徴とする。したがって、ユーザは、コンピュータ装置を操作するだけで、相手とテレビ電話接続することができる。
【００１４】
(11)(12)この発明の接続制御システムにおいては、
第１のネットワークのコンピュータ装置が行う接続要求は、第２のネットワーク上で音声データを送受信し、第１のネットワーク上でコンピュータ装置内の所定データを送受信するものであること
を特徴とする。したがって、例えば、自己の電話機の操作だけで、コンピュータ装置のディスプレイ画面を相手のコンピュータ装置に送信することができる。
【００１５】
(13)この発明の接続制御システムにおいては、
第１のネットワークは、電話機が接続されたＰＢＸ網であり、
第２のネットワークは、コンピュータ装置が接続されたＬＡＮ網であること、
を特徴とする。したがって、ユーザは、電話機を操作するだけで、相手のコンピュータ装置と自己のコンピュータ装置を接続することができる。
【００１６】
(17)(18)(19)(22)(23)(24)この発明の端末ロックシステムは、
第１のユーザ端末装置が接続された第１のネットワーク、第２のユーザ端末装置が接続された第２のネットワーク、前記第１のネットワークに接続された第１のサーバ装置、ならびに、前記第１のサーバ装置および前記第２のネットワークに接続された第２のサーバ装置、を備えた端末ロックシステムであって、
前記第１のサーバ装置は、
第１のネットワークに接続された第１のユーザ端末装置が、第２のネットワークに接続された第２のユーザ端末装置のいずれに対応しているかを示す端末対応関係を記録した記録部と、
前記第２のサーバ装置から、前記第２のネットワークに接続された第２のユーザ端末装置の位置情報を取得して前記記録部に記録する位置記録手段と、
第１のユーザ端末装置および第２のユーザ端末装置について前記記録部に記録されたそれぞれの位置情報を比較して、対応する端末装置同士が同一範囲内に位置しているか否かを判定する位置比較判定手段と、
前記位置比較判定手段において、対応する端末装置同士が同一範囲内に位置しない場合には、第１のユーザ端末装置に対して端末ロック指示を行う端末ロック指示手段とを備え、
前記第２のサーバ装置は、
前記第２のネットワークに接続された第２のユーザ端末装置の位置情報を、前記第１のサーバ装置に通知する位置通知手段を備え、
前記第１のユーザ端末装置は、
前記第１のサーバ装置からの指示を受けて、自己の端末装置についてロックを行う端末ロック手段を備えたこと
を特徴とする。したがって、従来の構内電話網およびＬＡＮ網を有効に活用してコストを抑えつつ、ＬＡＮ網に接続された端末装置を容易にロックする端末ロックシステムを構築することができる。
【００１７】
(20)この発明の端末ロックシステムにおいては、
第１のネットワークは、コンピュータ装置が接続されたＬＡＮ網であり、
第２のネットワークは、複数のアクセスポイントを経由して無線電話機が接続されたＰＢＸ網であること
を特徴とする。したがって、ユーザは、通常使用する機器である電話機およびコンピュータ装置を用いて端末ロック機能を利用することができる。
【００１８】
(21)この発明の端末ロックシステムにおいては、
第１のネットワークは、複数のアクセスポイントを経由してコンピュータ装置が接続された無線ＬＡＮ網であり、
第１のサーバ装置は、前記コンピュータ装置の位置情報を更新する位置情報更新手段をさらに備えたこと
を特徴とする。したがって、ユーザは、コンピュータ装置が移動可能な場合であっても端末ロック機能を利用することができる。
【００１９】
［請求項の用語］
第１のサーバ装置における「端末対応関係を記録した記録部」は、実施形態においては、図６に示した端末対応関係データベース２０９３がこれに該当する。「接続要求が行われたことを検知する接続要求検知手段」は、実施形態においては、図３のステップＳ３４３の機能がこれに該当する。「任意の端末装置および別の端末装置のそれぞれに対応する別のネットワーク内の端末装置がいずれであるかを取得する対応端末取得手段」は、実施形態においては、図３のステップＳ３４５の機能がこれに該当する。「接続指示を行う接続指示手段」は、実施形態においては、図４のステップＳ４０７の機能がこれに該当する。「所定の端末装置同士を接続する第１の端末接続手段」は、実施形態においては、図４のステップＳ４０９の機能がこれに該当する。
【００２０】
第２のサーバ装置における「第２のネットワークに接続された所定の端末装置同士を接続する第２の端末接続手段」は、実施形態においては、図４のステップＳ４２５の機能がこれに該当する。
【００２１】
端末装置における「当該端末装置が接続されたネットワーク内における別の端末装置に対して接続要求を行う接続要求手段」は、実施形態においては、図３のステップＳ３２５の機能がこれに該当する。「前記第１のサーバ装置または前記第２のサーバ装置からの指令を受けて、当該端末装置が接続されたネットワーク内における別の端末装置との接続を実行する接続実行手段」は、実施形態においては、図４のステップＳ４９１またはＳ４４３の機能がこれに該当する。
【００２２】
「プログラム」とは、ＣＰＵにより直接実行可能なプログラムだけでなく、ソース形式のプログラム、圧縮処理がされたプログラム、暗号化されたプログラム等を含む概念である。
【発明を実施するための最良の形態】
【００２３】
１．第１の実施形態
１−１．概要
図１に、この発明の一実施形態による接続制御システムの機能ブロック図を示す。本実施形態においては、第１のネットワーク１は、コンピュータ装置（ＰＣ＿Ａ、ＰＣ＿Ｂ、…）が接続されるＬＡＮ網である。第２のネットワーク２は、内線電話（内線電話＿Ａ、内線電話＿Ｂ、…）が接続されるＰＢＸ網である。第１のネットワークであるＬＡＮ網には、接続制御サーバ装置１１０が接続されている。また、第２のネットワークであるＰＢＸ網には、ＰＢＸ装置１３０が接続されている。
【００２４】
ユーザＡの近傍には、ＰＣカメラ付きのコンピュータ装置ＰＣ＿Ａおよび内線電話＿Ａが存在している。また、ユーザＢの近傍には、ＰＣカメラ付きのコンピュータ装置ＰＣ＿Ｂおよび内線電話＿Ｂが存在している。各ユーザは、自己の近傍に存在するコンピュータ装置および内線電話を利用可能である。
【００２５】
ユーザＡが、ＰＣ＿Ａにおいて、ユーザＢを検索すると、接続制御サーバ装置１１０は、ユーザＢにかかる情報を読み出してＰＣ＿Ａに送信する。ユーザＡが、ＰＣ＿Ａにおいて、ユーザＢにテレビ電話をかける操作を行うと、接続制御サーバ装置１１０は、ユーザＡおよびユーザＢにかかるそれぞれの内線電話を呼び出す。ユーザＢのＰＣ＿Ｂには、テレビ電話画面が表示される。ユーザＢが内線電話＿Ｂに出ると、ＰＢＸ装置１３０は内線電話＿Ａと内線電話＿Ｂを接続して音声通話を可能とし、接続制御サーバ装置１１０はＰＣ＿ＡとＰＣ＿Ｂを接続してＰＣカメラによる映像の送受信を可能とする。
【００２６】
１−２．機能ブロック図
１−２−１．接続制御サーバ装置
接続制御サーバ装置１１０の記録部１１１は、コンピュータ装置と内線電話との対応関係データ、ユーザに関するデータおよび接続制御を行うプログラムを記録するためのものである。接続要求検知手段１１３は、ＬＡＮ網である第１のネットワーク１内において、任意のコンピュータ装置から別のコンピュータ装置に対して行われる接続要求を検知するためのものである。
【００２７】
対応端末取得手段１１５は、検知した接続要求に基づいて端末対応関係を参照し、接続要求の接続元および接続先のそれぞれのコンピュータ装置に対応する内線電話を特定するためのものである。接続指示手段は、特定したＰＢＸ網の内線電話同士が互いに接続できるように、ＰＢＸ装置に対して内線電話の接続指示を行うためのものである。
【００２８】
１−２−２．ＰＢＸ装置
端末接続手段１３１は、接続制御サーバ装置１１０からの接続指示を受けて、ＰＢＸ網に接続された所定の内線電話同士を接続するためのものである。
【００２９】
１−２−３．ＰＣ端末装置
接続要求手段１５１は、同一ネットワーク内における別のＰＣ端末装置に対して接続要求を行うためのものである。接続実行手段１５３は、サーバ装置からの指令を受けて、同一ネットワーク内における別のＰＣ端末装置との接続を実行するためのものである。
【００３０】
１−３．ハードウエア構成
１−３−１．接続制御サーバ装置
図１に示す接続制御サーバ１１０をＣＰＵを用いて実現したハードウェア構成の一例を図２に示す。この接続制御サーバ１１０は、ディスプレイ２０１、ＣＰＵ２０３、メモリ２０５、キーボード／マウス２０７、ハードディスク２０９、ＤＶＤドライブ２１１および通信回路２１５を備えている。
【００３１】
ハードディスク２０９には、接続制御プログラム２０９１、端末対応関係データベース２０９３およびユーザ管理データベース２０９５が記録される。接続制御プログラム２０９１は、ＤＶＤドライブ２１１を介してＤＶＤ２１２に記録されたプログラムを読み出してインストールしたものである。なお、上記インストールは、通信回路２１５を用いてインターネット等のネットワークからダウンロードしたプログラムを使用して行うようにしてもよい。
【００３２】
ユーザ管理データベース２０９５の例を図５に示す。このデータベースには、「ユーザ名」５１、「所属部署」５３、「ＰＣのＩＰアドレス」５５、「拠点」５６および「カメラの有無」５７が記録される。端末対応関係データベース２０９３の例を図６に示す。このデータベースには、「ＰＣのＩＰアドレス」６１および「内線番号」６３が記録される。
【００３３】
接続制御プログラム２０９１を実行するＣＰＵ２０３は、ＬＡＮ網において、任意のコンピュータ装置から別のコンピュータ装置に対して行われる接続要求を検知する。また、この検知した接続要求に基づいて端末対応関係データを参照し、接続要求の接続元および接続先のそれぞれのコンピュータ装置に対応する内線電話を特定する。さらに、特定したＰＢＸ網の内線電話同士が互いに接続できるように、ＰＢＸ装置に対して内線電話の接続指示を行う。
【００３４】
図１において接続制御サーバ１１０を構成する、接続要求検知手段１１３、対応端末取得手段１１５および接続指示手段１１７は、接続制御プログラム２０９１をＣＰＵ２０３上で実行したときの各機能によって実現される。また、記録部１１１は、端末対応関係データベース２０９３、ユーザ管理データベース２０９５によって実現される。
【００３５】
１−３−２．ＰＢＸ装置
図１に示すＰＢＸ装置１３０の端末接続機能部にかかるハードウェア構成の一例を図２ａに示す。このＰＢＸ装置１３０の端末接続機能部は、スイッチ２５１、電話ポート２５３、制御回路２５５および通信回路２５７を備えている。
【００３６】
スイッチ２５１は、電話ポート２５３に接続された内線電話等を相互に接続する。制御回路２５５は、通信回路２５７を介する接続制御サーバ装置１１０からの信号を受けてスイッチ２５１を制御する。
【００３７】
よって、端末接続手段１３１は、スイッチ１５１および制御回路２５５によって実現される。
【００３８】
１−３−３．ＰＣ端末装置
図１に示すＰＣ＿ＡまたはＰＣ＿ＢをＣＰＵを用いて実現したハードウェア構成の一例を図２ｂに示す。このＰＣ＿ＡまたはＰＣ＿Ｂは、ディスプレイ２７１、ＣＰＵ２７３、メモリ２７５、キーボード／マウス２７７、ハードディスク２７９、ＤＶＤドライブ２８１、通信回路２８５およびＰＣカメラ２８７を備えている。
【００３９】
ハードディスク２７９には、接続処理プログラム２０９７が記録される。接続処理プログラム２０９７は、ＤＶＤドライブ２８１を介してＤＶＤ２８３に記録されたプログラムを読み出してインストールしたものである。なお、上記インストールは、通信回路２８５を用いてインターネット等のネットワークからダウンロードしたプログラムを使用して行うようにしてもよい。
【００４０】
接続処理プログラム２０９７を実行するＣＰＵ２７３は、ユーザによる操作を受けて、同一ネットワーク内の別のＰＣ端末装置（例えば、ＰＣ＿Ｂ）に対する接続要求を行う。また、接続制御サーバ装置１１０からの指令を受けて、別のＰＣ端末装置との接続を実行する。なお、この実行により、テレビ電話を実現するための映像を送受信するプログラムが含まれる。
【００４１】
図１においてＰＣ＿ＡまたはＰＣ＿Ｂを構成する、接続実行手段１５１および接続要求手段１５３は、接続処理プログラム２０９７をＣＰＵ２７３上で実行したときの各機能によって実現される。
【００４２】
なお、内線電話＿Ａおよび内線電話Ｂは、ＰＢＸ装置１３０に接続された一般的な内線電話（無線または有線）ある。
【００４３】
１−４．処理詳細
図３〜８を用いて、本実施形態における処理詳細を説明する。図３および図４は、本実施形態の接続制御システムにおける全体処理を示すフローチャートである。図７は、ＰＣ＿Ａのディスプレイ２７１に表示される画像の例である。図８は、ＰＣ＿Ｂのディスプレイに表示される画像の例である。
【００４４】
１−４−１．ユーザ選択処理
ユーザＡがＰＣ＿Ａの接続処理プログラム２０９７を起動して、接続制御サーバ１１０にアクセスするための所定操作を行うと、接続制御サーバ１１０のＣＰＵ２０１は、接続制御プログラム２０９１の実行により、ユーザ選択画面を送信する。これを受けて、ＰＣ＿ＡのＣＰＵ２７３は、図７に示す「ユーザ選択画面」７０１をディスプレイに表示する。
【００４５】
ここで、「ユーザ選択画面」７０１は、テレビ電話等をかける相手となる他のユーザを選択できるように構成されている。例えば、プルダウンメニュー７１により、ユーザＢ、ユーザＣ、ユーザＤ、…が選択できるように構成されている。
【００４６】
この状態において、ＰＣ＿ＡのユーザＡが「ユーザＢ」を選択すると、ＰＣ＿ＡのＣＰＵ２７３は、ユーザＢの選択を示すデータを接続制御サーバ装置１１０に送信する（ステップＳ３２１）。
【００４７】
送信を受けて、接続制御サーバ装置１１０のＣＰＵ２０１は、ユーザ管理データベース２０９５を参照して、ユーザＢに関する情報画面を生成し、ＰＣ＿Ａに送信する（ステップＳ３４１）。例えば、図５に示す「ユーザ名」５１が「Ｂ」であるレコード５０２に基づいて、ユーザＢの情報画面（図７、７０３）を生成し、これをＰＣ＿Ａに送信する。
【００４８】
送信を受けて、ＰＣ＿ＡのＣＰＵ２７３は、ユーザＢの情報画面７０３をディスプレイに表示する（ステップＳ３２３）。例えば、図５のレコード５０２の各データは、図７の画面７０３のユーザＢの情報７３に反映されて表示される。また、画面７０３には、ユーザＢに対して行うことができるアクション（「テレビ電話をかける」または「内線電話をかける」）がボタンで表示されている。ここで、情報７３においてユーザＢの「カメラの有無」は、「有り」であるので、ユーザＡは、ユーザＢのＰＣ＿Ｂに対して、テレビ電話をかけることができる。
【００４９】
１−４−２．接続要求処理
ＰＣ＿ＡにおいてユーザＡが、画面７０３の「テレビ電話をかける」ボタン７５を押下すると、ＰＣ＿ＡのＣＰＵ２７３は、ユーザＢに対するテレビ電話の接続要求を接続制御サーバ装置１１０に送信する（ステップＳ３２５）。
【００５０】
送信を受けて接続制御サーバ装置１１０のＣＰＵ２０１は、ユーザＡからユーザＢへのテレビ電話の接続要求があった旨を検知する（ステップＳ３４３）。続いてＣＰＵ２０１は、ユーザＡの端末対応関係データベース２０９３を参照して、ユーザＡの内線番号を取得する（ステップＳ３４５）。例えば、ユーザＡにかかるＰＣ＿ＡのＩＰアドレスは、図５のレコード５０１から「１０．１１．１．５１」であるので、図６のレコード６０１により、ユーザＡの内線番号「１１」を取得する。
【００５１】
ＣＰＵ２０１は、ＰＢＸ装置１３０に対してユーザＡの内線番号「１１」を呼出すように指示を行う（ステップＳ３４７）。これは、ユーザＡにテレビ電話の音声通話を内線電話を用いて行わせるためである。
【００５２】
接続制御サーバ装置１１０からの指示を受けて、ＰＢＸ装置１３０の制御回路２５５は、スイッチ２５１を制御して内線番号「１１」の電話ポート２５３に対して呼出信号を送出する（ステップＳ３６１）。
【００５３】
ユーザＡが自己の内線電話＿Ａにおいて受話器を持ち上げると、内線電話＿ＡからＰＢＸ装置１３０に向けてオフフック信号が送出される（ステップＳ３０１）。これを受けてＰＢＸ装置１３０の制御回路２５５は、ＰＣ＿Ａのオフフック信号を接続制御サーバ装置１１０に転送する（ステップＳ３６３）。
【００５４】
１−４−３．テレビ電話画面表示処理
転送を受けて接続制御サーバ装置１１０のＣＰＵ２０１は、ユーザＢの呼出中を示す画面を生成して、ＰＣ＿Ａに送信する（ステップＳ３４９）。例えば、ＰＣ＿Ａのディスプレイには、「研究部のＢさんを呼びだしています。そのまま、お待ち下さい。」を表示するテレビ電話画面７０５が表示される（ステップＳ３２７）。
【００５５】
次に、接続制御サーバ装置１１０のＣＰＵ２０１は、ユーザ管理データベース２０９５を参照して、ユーザＡに関する画面を生成して、これをユーザＢにかかるＰＣ＿Ｂに送信する（ステップＳ４０１）。例えば、図５に示す「ユーザ名」５１が「Ａ」であるレコード５０１に基づいて、ユーザＡの情報画面（図８、８０１）を生成し、これをＰＣ＿Ｂに送信する。
【００５６】
送信を受けて、ＰＣ＿ＢのＣＰＵ２７３は、ユーザＡからの着信画面８０１をディスプレイに表示する（ステップＳ４４１）。例えば、図８のテレビ電話画面８０１におけるメッセージ８１に示すように、レコード５０１の各データに基づいて、メッセージ「管理部（大阪）のＡさんからテレビ電話の呼出があります。…」が生成されて表示される。
【００５７】
続いて、接続制御サーバ装置１１０のＣＰＵ２０１は、ユーザＢの端末対応関係データベース２０９３を参照して、ユーザＢの内線番号を取得する（ステップＳ４０３）。例えば、ユーザＢにかかるＰＣ＿ＢのＩＰアドレスは、図５のレコード５０２から「１０．１２．１．５２」であるので、図６のレコード６０２により、ユーザＡの内線番号「２２」を取得する。
【００５８】
ＣＰＵ２０１は、ＰＢＸ装置１３０に対してユーザＢの内線番号「２２」を呼出すように指示を行う（ステップＳ４０５）。上述したように、ユーザＢにテレビ電話の音声通話を内線電話を用いて行わせるためである。
【００５９】
接続制御サーバ装置１１０からの指示を受けて、ＰＢＸ装置１３０の制御回路２５５は、スイッチ２５１を制御して内線番号「２２」の電話ポート２５３に対して呼出信号を送出する（ステップＳ４２１）。
【００６０】
ユーザＢが自己の内線電話＿Ｂにおいて受話器を持ち上げると、内線電話＿ＢからＰＢＸ装置１３０に向けてオフフック信号が送出される（ステップＳ４６１）。これを受けてＰＢＸ装置１３０の制御回路２５５は、ＰＣ＿Ｂのオフフック信号を接続制御サーバ装置１１０に転送する（ステップＳ４２３）。
【００６１】
転送を受けて接続制御サーバ装置１１０のＣＰＵ２０１は、内線電話＿Ａと内線電話＿Ｂとを接続するための指示をＰＢＸ装置１３０に対して行う（ステップＳ４０７）。これを受けて、ＰＢＸ装置１３０の制御回路２５５は、内線番号「１１」にかかる内線電話＿Ａと内線番号「２２」にかかる内線電話＿Ｂとを接続するようにスイッチ２５１を制御し、両電話を相互接続させる（ステップＳ４２５）。内線電話＿Ａおよび内線電話＿Ｂはともにオフフック中であるので、ＰＢＸ装置１３０のスイッチ２５１の切替により、そのまま通話可能状態となる。これにより、ユーザＡとユーザＢは、内線電話を用いて通話を開始することができる（ステップＳ４７１、Ｓ４６３）。
【００６２】
次に、接続制御サーバ装置１１０のＣＰＵ２０１は、ＰＣ＿ＡおよびＰＣ＿Ｂに接続されているＰＣカメラからの映像を、接続した相手側のコンピュータ装置に送信するように制御する（ステップＳ４０９）。例えば、ＰＣ＿ＡのＰＣカメラにおいて撮影されているユーザＡの映像を、ＰＣ＿Ｂのディスプレイ上に表示されたテレビ電話画面８０３（図８）に表示させる。一方、ＰＣ＿ＢのＰＣカメラにおいて撮影されているユーザＢの映像を、ＰＣ＿Ａのディスプレイ上に表示されたテレビ電話画面７０９（図７）に表示させる。これにより、ユーザＡとユーザＢは、コンピュータ装置（ＰＣ＿ＡまたはＰＣ＿Ｂ）を用いてテレビ電話による映像の送受信を開始することができる（ステップＳ４９１、Ｓ４４３）。
【００６３】
１−５．まとめ
以上説明したように、本実施形態によれば、従来のＰＢＸ装置を有効に利用するために、当該ＰＢＸ装置をＬＡＮ網に接続されたコンピュータ装置と融合させて、高品質なテレビ電話システムを容易に構築することができる。
【００６４】
また、ユーザは、コンピュータ装置における簡単な操作だけで、異なるネットワークにおいて構築されている内線電話を使用して、テレビ電話を開始することができる。
【００６５】
２．第２の実施形態
第１の実施形態においては、ユーザがコンピュータ装置（ＰＣ＿Ａ）を操作することを契機として、コンピュータ装置および内線電話を利用したテレビ電話接続を行うように構成したが、本実施形態においては、ユーザが内線電話を操作することを契機として、コンピュータ装置および内線電話を利用したテレビ電話接続を行う例について説明する。
【００６６】
本実施形態における接続制御システムの機能ブロック図、接続制御サーバ装置１１０、ＰＢＸ装置１３０およびコンピュータ装置（ＰＣ＿ＡおよびＰＣ＿Ｂ）のハードウェア構成図は、第１の実施形態と同様である。
【００６７】
２−４．処理詳細
図３ａ、図４ａおよび図７ａを加えて、本実施形態における処理詳細を説明する。図３ａおよび図４ａは、本実施形態の接続制御システムにおける全体処理を示すフローチャートである。図７ａは、内線電話＿ＡおよびＰＣ＿Ａのディスプレイに表示される画像の例である。
【００６８】
２−４−１．テレビ電話画面表示処理
ユーザＡが内線電話＿Ａ７１１（図７ａ）において、ユーザＢに対してテレビ電話の接続を要求するため、テレビ電話呼出を示す操作を行う（ステップＳ３１１）。例えば、ユーザＢにかかる内線番号「２２」の前に、テレビ電話の接続要求を示す記号「＊」を入力することにより、ユーザＢに対してテレビ電話呼出を行うことができる。
【００６９】
これを受けて、ＰＢＸ装置１３０は、ユーザＡの内線番号からユーザＢの内線番号へテレビ電話呼出がされている旨を示す信号を、接続制御サーバ装置１１０に送信する（ステップＳ３５１）。例えば、ユーザＡの内線番号「１１」およびユーザＢの内線番号「２２」をＳＩＰメッセージで送信する。
【００７０】
送信を受けて、接続制御サーバ装置１１０のＣＰＵ２０１は、端末対応関係データベース２０９３を参照して内線番号に対応するＰＣ端末のＩＰアドレスを取得する（ステップＳ３３１）。例えば、ユーザＡの内線番号「１１」に対応するＰＣ端末のＩＰアドレスは、図６により、「１０．１１．１．５１」であり、ユーザＢの内線番号「２２」に対応するＰＣ端末のＩＰアドレスは、図６により、「１０．１２．２．５２」である。
【００７１】
続いてＣＰＵ２０１は、ＰＣ端末のＩＰアドレスに基づいて、ユーザの情報を取得する（ステップＳ３３３）。例えば、図５のレコード５０１によりユーザＡの情報を取得し、同じくレコード５０２によりユーザＢの情報を取得する。
【００７２】
ユーザ情報を取得したＣＰＵ２０１は、まず、ユーザＡに関する情報に基づいてテレビ電話の着信画面を生成してＰＣ＿Ｂに送信する（ステップＳ３３５）。これを受けて、ＰＣ＿ＢのＣＰＵ２７３は、ディスプレイに、図８のテレビ電話画面８０１を表示する（ステップＳ３７１）。
【００７３】
続けて接続制御サーバ装置１１０のＣＰＵ２０１は、ユーザＢの呼出中を示す画面を生成して、ＰＣ＿Ａに送信する（ステップＳ３４９）。例えば、ＰＣ＿Ａのディスプレイには、「研究部のＢさんを呼びだしています。そのまま、お待ち下さい。」を表示するテレビ電話画面７１５が表示される（ステップＳ３３０）。
【００７４】
２−４−２．ユーザ内線電話呼出処理
上記のようにユーザＡおよびユーザＢにかかるＰＣ＿ＡおよびＰＣ＿Ｂのディスプレイにテレビ電話画面（画面７１５および画面８０１）が表示された後、接続制御サーバ装置１１０のＣＰＵ２０１は、ＰＢＸ装置１３０に対してユーザＢの内線番号「２２」を呼出すように指示を行う（ステップＳ３３９）。これは、ユーザＢにテレビ電話の音声通話を内線電話を用いて行わせるためである。
【００７５】
接続制御サーバ装置１１０からの指示を受けて、ＰＢＸ装置１３０の制御回路２５５は、スイッチ２５１を制御して内線番号「２２」の電話ポート２５３に対して呼出信号を送出する（ステップＳ３５３）。
【００７６】
ユーザＢが自己の内線電話＿Ｂにおいて受話器を持ち上げると、内線電話＿ＢからＰＢＸ装置１３０に向けてオフフック信号が送出される（ステップＳ３９１）。これを受けてＰＢＸ装置１３０の制御回路２５５は、ＰＣ＿Ｂのオフフック信号を接続制御サーバ装置１１０に転送する（ステップＳ３５５）。なお、ユーザＡの内線電話＿Ａについては、ステップＳ３１１から継続してオフフック状態であるとする。
【００７７】
転送を受けて接続制御サーバ装置１１０のＣＰＵ２０１は、内線電話＿Ａと内線電話＿Ｂとを接続するための指示をＰＢＸ装置１３０に対して行う（ステップＳ４３１）。これを受けて、ＰＢＸ装置１３０の制御回路２５５は、内線番号「１１」にかかる内線電話＿Ａと内線番号「２２」にかかる内線電話＿Ｂとを接続するようにスイッチ２５１を制御し、両電話を相互接続させる（ステップＳ４５１）。内線電話＿Ａおよび内線電話＿Ｂはともにオフフック中であるので、ＰＢＸ装置１３０のスイッチ２５１の切替により、そのまま通話可能状態となる。これにより、ユーザＡとユーザＢは、内線電話を用いて通話を開始することができる（ステップＳ４１１、Ｓ４５５）。
【００７８】
次に、接続制御サーバ装置１１０のＣＰＵ２０１は、ＰＣ＿ＡおよびＰＣ＿Ｂに接続されているＰＣカメラからの映像を、接続した相手側のコンピュータ装置に送信するように制御する（ステップＳ４３４）。例えば、ＰＣ＿ＡのＰＣカメラにおいて撮影されているユーザＡの映像を、ＰＣ＿Ｂのディスプレイ上に表示されたテレビ電話画面８０３（図８）に表示させる。一方、ＰＣ＿ＢのＰＣカメラにおいて撮影されているユーザＢの映像を、ＰＣ＿Ａのディスプレイ上に表示されたテレビ電話画面７０９（図７）に表示させる。これにより、ユーザＡとユーザＢは、コンピュータ装置（ＰＣ＿ＡまたはＰＣ＿Ｂ）を用いてテレビ電話による映像の送受信を開始することができる（ステップＳ４３０、Ｓ４５３）。
【００７９】
２−５．まとめ
以上説明したように、本実施形態によれば、従来のＰＢＸ装置を有効に利用するために、当該ＰＢＸ装置をＬＡＮ網に接続されたコンピュータ装置と融合させて、高品質なテレビ電話システムを容易に構築することができる。
【００８０】
また、ユーザは、内線電話における簡単な操作だけで、異なるネットワークにおいて構築されているコンピュータ装置を使用して、テレビ電話を開始することができる。
【００８１】
３．その他の実施形態
３−１．
上記実施形態においては、接続制御サーバ装置１１０を経由してテレビ電話映像を送受信する例について説明したが、映像データはＰＣ＿ＡおよびＰＣ＿Ｂが直接やり取りを行うようにしてもよい。この場合、接続要求検知手段１１３は、パケットを監視してＰＣ＿ＡからＰＣ＿Ｂへの接続要求を検知すればよい。
【００８２】
３−２．
上記実施形態においては、テレビ電話をかける例について説明したが、接続先のユーザのコンピュータ装置にＰＣカメラが接続されていない場合は、図７の画面７０３において「テレビ電話をかける」ボタン７５を無効にし、「内線電話をかける」ボタン７６のみを有効としてもよい。
【００８３】
３−３．
上記実施形態においては、コンピュータ端末が接続されたＬＡＮ網および内線電話が接続されたＰＢＸ網を例として説明したが、他の装置が接続されたネットワークであってもよい。例えば、第１のネットワークおよび第２のネットワークのいずれかまたは双方が、携帯電話が接続されたネットワークであってもよい。
【００８４】
３−４．
上記実施形態においては、内線電話の操作により、テレビ電話接続を開始するように構成したが、接続先のコンピュータ装置に対して所定のデータを送信するようにしてもよい。
【００８５】
例えば、内線電話＿Ａにおいて、記号「＃」と内線番号「２２」を入力した場合には、ＰＣ＿Ａのディスプレイ画面のそのまま、ＰＣ＿Ｂのディスプレイに送信するように構成してもよい。これにより、内線電話の操作のみで、異なるネットワークに接続されたコンピュータ装置に対して、データ送信を行うことができる。
【００８６】
３−５．
上記実施形態においては、ユーザ管理データベース２０９５に記録されたデータである「所属部署」を含むようにテレビ電話画面（７０５、７０９、８０１、８０３等）を生成しているが、他のデータを表示に含めるようにしてもよい。
【００８７】
例えば、内線電話が無線電話である場合には、アクセスポイントの情報から判断されたユーザの現在位置情報を、ユーザ管理データベース２０９５に記録しておき、テレビ電話画面に位置情報を表示するようにしてもよい。
【００８８】
３−６．
上記実施形態においては、第１のネットワークをコンピュータ装置が接続されたＬＡＮ網とし、第２のネットワークを内線電話が接続されたＰＢＸ網として構成したが、第１のネットワークを内線電話が接続されたＰＢＸ網とし、第２のネットワークをコンピュータ装置が接続されたＬＡＮ網としてもよい。この場合、第１のサーバ装置として、ＣＰＵによるプログラム実行が可能なＰＢＸ装置を用いればよい。
【００８９】
３−７．
上記実施形態においては、ユーザ管理データベース２０９５に記録した情報に基づいて、呼出中画面のメッセージを生成するようにしている。例えば、拠点５６により、ユーザの拠点情報を表示している。
【００９０】
また、このような拠点情報を用いると、拠点間のネットワーク負荷状況に応じて、利用可能な帯域を制御することもできる。例えば、京都と大阪間のネットワーク負荷が高い場合には、送受信する画像のデータ量を低減させたり、あるいは、画像の送受信を一時的に制限するようにしてもよい。
【００９１】
３−８．
上記実施形態においては、図１に示す各機能を実現する為に、ＣＰＵを用いソフトウェアによってこれを実現している。しかし、その一部もしくは全てを、ロジック回路等のハードウェアによって実現してもよい。なお、プログラムの一部の処理をさらに、オペレーティングシステム（ＯＳ）にさせるようにしてもよい。
【００９２】
４．第４の実施形態
上記実施形態において説明した端末対応関係データベース２０９３を利用することにより、異なるネットワーク間における端末装置同士を多様に制御することが可能となる。本実施形態においては、その応用例として、内線電話とユーザＰＣ（コンピュータ装置）との位置情報を判断して、ユーザＰＣをロック制御する端末ロックシステムの例について説明する。
【００９３】
［発明の名称］端末ロックシステムおよびその方法
［技術分野］
この発明は、異なるネットワークに接続された端末間における接続を制御して、所定端末をロックするための端末ロックシステムに関する。
【００９４】
［背景技術］
ユーザＰＣである端末装置に端末側装置を装着しておき、ユーザがキー側装置２００を身につけて携帯することにより、端末ロックを行うシステムが知られている（例えば、特許文献２参照。）。このシステムは、端末側装置にキー側装置の情報を登録しておき、キー側装置を身につけたユーザが端末側装置を装着した端末装置から離れることにより、端末側装置とキー側装置との間でブルートゥース等による接続ができなくなることを感知すると、端末側装置は装着されている端末装置の使用を禁止してロック状態とするものである。
【００９５】
［特許文献２］特開２００４−１０２６８２号
［発明の開示］
［発明が解決しようとする課題］
しかしながら、上記の端末ロックシステムでは、各ユーザ毎に、端末に装着するための端末側装置およびユーザが携帯するためのキー側装置を配布する必要があり、コストがかかるという問題がある。また、端末側装置の装着を解除した場合やキー側装置が紛失した場合には、端末ロックが有効に機能しないことが考えられる。
【００９６】
本実施形態における発明は、上記のような問題点を解決し、従来の構内電話網およびＬＡＮ網を有効に活用してコストを抑えつつ、ＬＡＮ網に接続された端末装置を容易にロックすることのできる端末ロックシステムを提供することを目的とする。
【００９７】
［課題を解決するための手段］
(17)(18)(19)(22)(23)(24)この発明の端末ロックシステムは、
第１のユーザ端末装置が接続された第１のネットワーク、第２のユーザ端末装置が接続された第２のネットワーク、前記第１のネットワークに接続された第１のサーバ装置、ならびに、前記第１のサーバ装置および前記第２のネットワークに接続された第２のサーバ装置、を備えた端末ロックシステムであって、
前記第１のサーバ装置は、
第１のネットワークに接続された第１のユーザ端末装置が、第２のネットワークに接続された第２のユーザ端末装置のいずれに対応しているかを示す端末対応関係を記録した記録部と、
前記第２のサーバ装置から、前記第２のネットワークに接続された第２のユーザ端末装置の位置情報を取得して前記記録部に記録する位置記録手段と、
第１のユーザ端末装置および第２のユーザ端末装置について前記記録部に記録されたそれぞれの位置情報を比較して、対応する端末装置同士が同一範囲内に位置しているか否かを判定する位置比較判定手段と、
前記位置比較判定手段において、対応する端末装置同士が同一範囲内に位置しない場合には、第１のユーザ端末装置に対して端末ロック指示を行う端末ロック指示手段とを備え、
前記第２のサーバ装置は、
前記第２のネットワークに接続された第２のユーザ端末装置の位置情報を、前記第１のサーバ装置に通知する位置通知手段を備え、
前記第１のユーザ端末装置は、
前記第１のサーバ装置からの指示を受けて、自己の端末装置についてロックを行う端末ロック手段を備えたこと
を特徴とする。したがって、従来の構内電話網およびＬＡＮ網を有効に活用してコストを抑えつつ、ＬＡＮ網に接続された端末装置を容易にロックする端末ロックシステムを構築することができる。
【００９８】
(20)この発明の端末ロックシステムにおいては、
第１のネットワークは、コンピュータ装置が接続されたＬＡＮ網であり、
第２のネットワークは、複数のアクセスポイントを経由して無線電話機が接続されたＰＢＸ網であること
を特徴とする。したがって、ユーザは、通常使用する機器である電話機およびコンピュータ装置を用いて端末ロック機能を利用することができる。
【００９９】
(21)この発明の端末ロックシステムにおいては、
第１のネットワークは、複数のアクセスポイントを経由してコンピュータ装置が接続された無線ＬＡＮ網であり、
第１のサーバ装置は、前記コンピュータ装置の位置情報を更新する位置情報更新手段をさらに備えたこと
を特徴とする。したがって、ユーザは、コンピュータ装置が移動可能な場合であっても端末ロック機能を利用することができる。
【０１００】
［請求項の用語］
第１のサーバ装置における「端末対応関係を記録した記録部」は、実施形態においては、図１１に示した端末対応関係データベース２０９３がこれに該当する。
【０１０１】
「第２のネットワークに接続された第２のユーザ端末装置の位置情報を取得して前記記録部に記録する位置記録手段」は、実施形態においては、図１２のステップＳ１２０１の機能がこれに該当する。「第１のユーザ端末装置および第２のユーザ端末装置について前記記録部に記録されたそれぞれの位置情報を比較して、対応する端末装置同士が同一範囲内に位置しているか否かを判定する位置比較判定手段」は、実施形態においては、図１２のステップＳ１２０７〜Ｓ１２０９またはＳ１２１３〜Ｓ１２１５の機能がこれに該当する。「対応する端末装置同士が同一範囲内に位置しない場合には、第１のユーザ端末装置に対して端末ロック指示を行う端末ロック指示手段」は、実施形態においては、図１２のステップＳ１２１１の機能がこれに該当する。「コンピュータ装置の位置情報を更新する位置情報更新手段」は、実施形態においては、図１２のステップＳ１２０３〜Ｓ１２０５の機能がこれに該当する。
【０１０２】
第２のサーバ装置における「第２のネットワークに接続された第２のユーザ端末装置の位置情報を、前記第１のサーバ装置に通知する位置通知手段」は、実施形態においては、図１２のステップＳ１２３３の機能がこれに該当する。
【０１０３】
第１のユーザ端末装置における「第１のサーバ装置からの指示を受けて、自己の端末装置についてロックを行う端末ロック手段」は、実施形態においては、図１２のステップＳ１２０２の機能がこれに該当する。
【０１０４】
［発明を実施するための最良の形態］
４−１．概要
図９に、この発明の一実施形態による接続制御システムの機能ブロック図を示す。本実施形態においては、第１のネットワークは、コンピュータ装置であるユーザＰＣが複数接続されるＬＡＮ網１である。ＬＡＮ網１は、無線ＬＡＮのアクセスポイントＡＰ１−１、ＡＰ２−１、を備えており、ユーザＰＣは、無線によってＬＡＮ接続される。ＬＡＮ網１には、接続制御サーバ装置１１０が接続されている。
【０１０５】
第２のネットワークは、内線電話（内線電話＿Ａ、内線電話＿Ｂ、…）が接続されるＰＢＸ網２である。ＰＢＸ網２は、無線電話のアクセスポイントＡＰ２−１、ＡＰ２−２、を備えており、内線電話は、無線によってＰＢＸ接続される。ＰＢＸ網２には、ＰＢＸ装置１３０が接続されている。
【０１０６】
ユーザＡは、エリアＡＰ１内において、内線電話＿Ａを所持しつつ自己のユーザＰＣを使用する。この場合、内線電話＿Ａは、ＰＢＸ網２のアクセスポイントＡＰ１−２を経由して他の内線電話との接続が可能である。また、ユーザＰＣは、ＬＡＮ網１のアクセスポイントＡＰ１−１を経由して他のユーザＰＣとの接続が可能である。
【０１０７】
ユーザＡが、ユーザＰＣを使用している場合、ユーザＰＣのアクセスポイントＡＰ１−１は、内線電話＿ＡのアクセスポイントＡＰ１−２と同一のエリアＡＰ１内にある。接続制御サーバ装置１１０の記録部９０３には、各ユーザＰＣおよび各内線電話について、それぞれの現在のアクセスポイントが記録されている。
【０１０８】
ユーザＡが、内線電話＿Ａを所持したまま移動すると、内線電話＿Ａのアクセスポイントが「ＡＰ１−２」から「ＡＰ２−２」に変更される。これを監視しているＰＢＸ装置１３０は、内線電話＿Ａの現在のアクセスポイントが「ＡＰ２−２」である旨を接続制御サーバ装置１１０に通知する。
【０１０９】
通知を受けて、接続制御サーバ装置１１０は、内線電話＿Ａの現在のアクセスポイント「ＡＰ２−２」を記録部に記録する。そして、ユーザＰＣのアクセスポイント「ＡＰ１−１」と、内線電話＿Ａのアクセスポイント「ＡＰ２−２」は、同一エリア内にないと判断できるため、ユーザＰＣを端末ロックするための処理を行う。これを受けて、ユーザＰＣは、自己の端末をロックする処理を行う。
【０１１０】
４−２．機能ブロック図
４−２−１．接続制御サーバ装置
接続制御サーバ装置１１０の記録部９０３は、コンピュータ装置と内線電話との対応関係データ、ユーザに関するデータおよび端末ロックを行うプログラムを記録するためのものである。位置記録手段９０１は、ＰＢＸ網２に接続されたＰＢＸ装置１３０からの位置情報を取得して、前記記録部９０３に記録するためのものである。位置比較判定手段９０５は、対応する各ユーザＰＣおよび内線電話について記録部９０３に記録されたそれぞれの位置情報を比較して、対応する端末装置同士が同一範囲内に位置しているか否かを判定するためのものである。端末ロック指示手段９０７は、位置比較判定手段９０５において、対応する端末装置同士が同一範囲内に位置しない場合には、ユーザＰＣに対して端末ロック指示を行うためのものである。位置情報更新手段９０８は、ユーザＰＣのアクセスポイントがいずれであるかを示す位置情報を更新するためのものである。
【０１１１】
４−２−２．ＰＢＸ装置
位置通知手段９２１は、ＰＢＸ網２に接続された内線電話のアクセスポイントがいずれであるかを示す位置情報を、接続制御サーバ装置１１０に通知するためのものである。
【０１１２】
４−２−３．ユーザＰＣ
端末ロック手段９１１は、接続制御サーバ装置１１０からの指示を受けて、自己の端末装置について、ユーザＡ以外の者が操作することを防止するロック処理を行うためのものである。
【０１１３】
４−３．ハードウエア構成
４−３−１．接続制御サーバ装置
図９に示す接続制御サーバ１１０をＣＰＵを用いて実現したハードウェア構成の一例を図２に示す。この接続制御サーバ１１０は、ディスプレイ２０１、ＣＰＵ２０３、メモリ２０５、キーボード／マウス２０７、ハードディスク２０９、ＤＶＤドライブ２１１および通信回路２１５を備えている。
【０１１４】
ハードディスク２０９には、接続制御プログラム２０９１、端末対応関係データベース２０９３およびユーザ管理データベース２０９５が記録される。接続制御プログラム２０９１は、ＤＶＤドライブ２１１を介してＤＶＤ２１２に記録されたプログラムを読み出してインストールしたものである。なお、上記インストールは、通信回路２１５を用いてインターネット等のネットワークからダウンロードしたプログラムを使用して行うようにしてもよい。
【０１１５】
ユーザ管理データベース２０９５の例を図５に示す。このデータベースには、「ユーザ名」５１、「所属部署」５３、「ＰＣのＩＰアドレス」５５および「カメラの有無」５７が記録される。端末対応関係データベース２０９３の例を図１１に示す。このデータベースには、「ユーザ」１１１、「ＰＣのＩＰアドレス」１１２、「ＰＣ位置情報」１１３、「内線番号」１１４および「電話位置情報」１１５が記録される。
【０１１６】
接続制御プログラム２０９１を実行するＣＰＵ２０３は、ＰＢＸ網２に接続されたＰＢＸ装置１３０から、内線電話が接続されているアクセスポイントの情報を取得して、端末対応関係データベース２０９３の内線番号に対応する電話位置情報に記録する。また、端末対応関係データベース２０９３に記録されたユーザＰＣおよび内線番号のそれぞれの位置情報を比較して、対応する端末装置同士が同一範囲内に位置しているか否かを判定する。さらに、対応する端末装置同士が同一範囲内に位置しない場合には、ユーザＰＣに対して端末ロック指示を行う。なお、ＬＡＮ網１において、ユーザＰＣのアクセスポイントが変更された場合には、端末対応関係データベース２０９３のＰＣ位置情報１１３を更新する。
【０１１７】
図１において接続制御サーバ１１０を構成する、位置記録手段９０１、位置比較判定手段９０５、端末ロック指示手段９０７、位置情報更新手段９０８は、接続制御プログラム２０９１をＣＰＵ２０３上で実行したときの各機能によって実現される。また、記録部９０３は、端末対応関係データベース２０９３、ユーザ管理データベース２０９５によって実現される。
【０１１８】
なお、内線電話＿Ａおよび内線電話Ｂは、ＰＢＸ装置１３０に接続された一般的な無線内線電話である。
【０１１９】
４−３−２．ＰＢＸ装置
図９に示すＰＢＸ装置１３０の端末接続機能部にかかるハードウェア構成の一例を図２ａに示す。このＰＢＸ装置１３０の端末接続機能部は、スイッチ２５１、電話ポート２５３、制御回路２５５および通信回路２５７を備えている。
【０１２０】
スイッチ２５１は、無線アクセスポイントを含む電話ポート２５３に接続された内線電話等を相互に接続する。制御回路２５５は、通信回路２５７を介する接続制御サーバ装置１１０からの信号を受けてスイッチ２５１を制御する。また、制御回路２５５は、無線アクセスポイントを含む電話ポート２５３からの信号を受けて、各内線電話が接続されている無線アクセスポイントがいずれであるかを認識し、これを接続制御サーバ装置１１０に通知する。よって、位置通知手段９２１は、制御回路２５５によって実現される。
【０１２１】
４−３−３．ユーザＰＣ
図９に示すユーザＰＣ１５０をＣＰＵを用いて実現したハードウェア構成の一例を図１０に示す。このユーザＰＣ１５０は、ディスプレイ１００１、ＣＰＵ１００３、メモリ１００５、キーボード／マウス１００７、ハードディスク１００９、ＤＶＤドライブ１０１１および通信回路１０１５を備えている。
【０１２２】
ハードディスク１００９には、端末ロックプログラム１０９１が記録される。端末ロックプログラム１０９１は、ＤＶＤドライブ１０１１を介してＤＶＤ１０１２に記録されたプログラムを読み出してインストールしたものである。なお、上記インストールは、通信回路１０１５を用いてインターネット等のネットワークからダウンロードしたプログラムを使用して行うようにしてもよい。
【０１２３】
端末ロックプログラム１０９１を実行するＣＰＵ１００３は、接続制御サーバ装置１１０からの指示を受けて、自己の端末装置についてロックする処理を行う。
【０１２４】
図９において接続制御サーバ１１０を構成する、端末ロック手段９１１は、
端末ロックプログラム１０１０をＣＰＵ１００３上で実行したときの各機能によって実現される。
【０１２５】
４−４．処理詳細
図１１〜図１３を加えて、本実施形態における処理詳細を説明する。図１１は、本実施形態における端末対応関係データベース２０９３の例である。図１２は、本実施形態の端末ロックシステムにおける全体処理を示すフローチャートである。図１３は、ユーザＰＣのディスプレイ１００１に表示される画像の例である。
【０１２６】
４−４−１．電話位置情報の取得（ＰＢＸ装置）
図９において、ユーザＡが自己の内線電話＿Ａを使用可能な状態にある場合、ＰＢＸ網２のアクセスポイントＡＰ１−２（基地局）と内線電話＿Ａは、定期的に位置確認情報をやり取りしている。このとき、アクセスポイントＡＰ１−２は、取得した位置確認情報に基づいて、内線電話＿ＡがアクセスポイントＡＰ１−２を経由して接続可能である旨を示す信号をＰＢＸ装置１３０に送信する。
【０１２７】
送信を受けて、ＰＢＸ装置１３０の制御回路２２５は、各内線電話が接続されているアクセスポイントを取得する（ステップＳ１２２１）。アクセスポイントからの信号を受けて、ＰＢＸ装置１３０の制御回路２２５は、取得した内線電話の位置情報を接続制御サーバ装置１１０に通知する（ステップＳ１２２３）。例えば、内線番号が「１１」である内線電話＿Ａの位置情報「ＡＰ１−２」を接続制御サーバ装置１１０に通知する。
【０１２８】
４−４−２．電話位置情報の記録（接続制御サーバ装置）
通知を受けて、接続制御サーバ装置１１０のＣＰＵ２０１は、取得した位置情報を端末対応関係データベース２０９３に記録する（ステップＳ１２０１）。例えば、図１１のＡに示すように、ユーザＡにかかるレコード１１０１の電話位置情報１１５に「ＡＰ１−２」を記録する。なお、図１１において、ユーザにかかる「ＰＣのＩＰアドレス」と、当該ユーザが使用する内線電話の「内線番号」は、予め対応付けて記録されているものとする。
【０１２９】
また、上記ステップＳ１２２１およびＳ１２２３の処理は、ＰＢＸ装置１３０において、定期的に行われている。このため、接続制御サーバ装置１１０の端末対応関係データベース２０９３の電話位置情報１１５は、定期的に更新されることになる。
【０１３０】
例えば、図９に示すように、ユーザＡが内線電話＿Ａを所持したままＸの位置からＹの位置へ移動した場合には、内線電話＿Ａは、ＰＢＸ網２のアクセスポイントＡＰ２−２を経由して接続されるため、端末対応関係データベース２０９３の電話位置情報１１５は、図１１のＢに示すようになる。すなわち、レコード１１２１に示すようになる。以下、ユーザＡの移動後において、図１１のＢのレコード１１２１の状態にある場合について説明する。
【０１３１】
４−４−３．ＰＣ位置情報の取得・記録
一方、接続制御サーバ装置１１０のＣＰＵ２０１は、無線ＬＡＮ網１のアクセスポイントに接続されている各ユーザＰＣの位置情報を取得する（ステップＳ１２０３）。例えば、ユーザＡのユーザＰＣが無線ＬＡＮ網１に接続可能な状態にある場合、ＬＡＮ網１のアクセスポイントＡＰ１−１（基地局）とユーザＰＣは、定期的に位置確認情報をやり取りしている。このとき、アクセスポイントＡＰ１−１は、取得した位置確認情報に基づいて、ユーザＰＣがアクセスポイントＡＰ１−１を経由して接続可能である旨を示す信号を接続制御サーバ装置１１０に送信する。
【０１３２】
ＣＰＵ２０１は、アクセスポイントから取得したユーザＰＣの位置情報を端末対応関係データベース２０９３に記録する（ステップＳ１２０７）。例えば、図１１のＢに示すように、ユーザＡにかかるレコード１１２１のＰＣ位置情報１１３に「ＡＰ１−１」を記録する。このように、ＣＰＵ２０１は、ＬＡＮ網１に接続された全てのユーザＰＣについて位置情報を取得して記録する。
【０１３３】
４−４−４．位置情報の比較
続いて、ＣＰＵ２０１は、端末対応関係データベース２０９３を参照して、ユーザ毎に、ユーザＰＣとこれに対応する内線番号の各位置情報を比較する（ステップＳ１２０７）。例えば、図１１のＢのレコード１１２１を読み出して、ユーザＰＣのＰＣ位置情報１１３「ＡＰ１−１」と、内線電話の電話位置情報１１５「ＡＰ２−２」を比較する。なお、各ユーザＰＣについて、ステップＳ１２０７と同様の処理を行う。
【０１３４】
次に、ＣＰＵ２０１は、端末対応関係データベース２０９３において、ユーザＰＣ位置情報１１３と電話位置情報１１５のエリアを示すデータが異なるレコードを抽出する（ステップＳ１２０９）。例えば、図１１のＢのレコード１１２１は、ＰＣ位置情報１１３「ＡＰ１−１」と、電話位置情報１１５「ＡＰ２−２」は、エリアを示すデータである前の３文字が「ＡＰ１」と「ＡＰ２」のため、エリアを示すデータが異なると判断できる。この場合、アクセスポイントが「同一範囲内にない」と判断する。
【０１３５】
なお、上記においては、アクセスポイントのエリアを示す情報を前の３文字で特定するようにしているが、他の方法により特定してもよい。例えば、各アクセスポイントにそれぞれ異なるＩＤを付与している場合には、同一エリアであるか否かを判断するためのテーブルを用いて判断してもよい。
【０１３６】
ＣＰＵ２０１は、「同一範囲内にない」と判断したレコードにかかるユーザのＰＣに対して端末ロックを指示する（ステップＳ１２１１）。例えば、レコード１１２１にかかるユーザＡのＰＣのＩＰアドレス「１０．１．１．５１」によりユーザＰＣを特定して、端末ロック指令を示すデータを送信する。
【０１３７】
送信を受けて、ユーザＰＣのＣＰＵ１００３は、自己の端末ロックプログラムにより、他者からの操作を受け付けないように制御する（ステップＳ１２０２）。例えば、この場合、図１３に示す画面がユーザＡのユーザＰＣのディスプレイ１００１に表示される。
【０１３８】
このように、内線電話＿Ａを所持するユーザＡが、自己のＰＣから離れた場合には、ユーザＰＣを自動的にロックして、端末のセキュリティを高めることができる。
【０１３９】
４−４−５．端末ロックの解除
また、ユーザＡが再びＰＢＸ網２のエリアＡＰ１に戻った場合には、端末ロックは解除される。この場合、ＣＰＵ２０１は、端末対応関係データベース２０９３において、ユーザＰＣの位置情報１１３と電話位置情報１１５のデータが同一のレコードを抽出する（ステップＳ１２１３）。例えば、図１１のＡのレコード１１０１は、ＰＣ位置情報１１３「ＡＰ１−１」と、電話位置情報１１５「ＡＰ１−２」は、エリアを示す前の３文字「ＡＰ１」が一致するので、位置情報が「同一範囲内にある」と判断する。
【０１４０】
ＣＰＵ２０１は、「同一範囲内にある」と判断したレコードにかかるユーザのＰＣに対して端末ロック解除を指示する（ステップＳ１２１１）。例えば、レコード１１０１にかかるユーザＡのＰＣのＩＰアドレス「１０．１．１．５１」によりユーザＰＣを特定して、端末ロック解除指令を示すデータを送信する。
【０１４１】
送信を受けて、ユーザＰＣのＣＰＵ１００３は、自己の端末ロックプログラムにより、操作を受け付けるように制御する（ステップＳ１２０６）。例えば、この場合、図１３に示した画面をディスプレイ１００１から消去する。
【０１４２】
なお、上記ステップＳ１２１３、Ｓ１２１５の処理は、一度端末ロックを行ったユーザＰＣに対してのみ行えばよい。この場合、例えばフラグデータを記録して端末ロックの履歴を管理し、これを参照して判断すればよい。
【０１４３】
４−５．まとめ
以上説明したように、本実施形態によれば、従来のＰＢＸ装置を有効に利用するために、当該ＰＢＸ装置をＬＡＮ網に接続されたコンピュータ装置と融合させて、装置コストを抑えた端末ロックシステムを容易に構築することができる。また、ユーザは、所定の操作をすることなく、自己の端末にロックをかけることができる。
【０１４４】
５．その他の実施形態
５−１．
上記実施形態においては、ユーザＰＣは、無線ＬＡＮのアクセスポイントに接続されていることを前提として説明したが、通常の有線ＬＡＮであってもよい。この場合、ユーザＰＣの位置情報は、固定的に端末対応関係データベースに記録されており、ＰＢＸ装置１３０からの位置情報と比較可能であればよい。
【０１４５】
５−２．
上記実施形態においては、コンピュータ端末が接続されたＬＡＮ網および内線電話が接続されたＰＢＸ網を例として説明したが、他の装置が接続されたネットワークであってもよい。例えば、第１のネットワークおよび第２のネットワークのいずれかまたは双方が、携帯電話が接続されたネットワークであってもよい。
【０１４６】
５−３．
上記実施形態においては、図１３の端末ロック画面において、端末が使用できない旨を表示するようにしたが、ユーザの電話位置情報に基づいて、ユーザの所在を画面に表示するようにしてもよい。
【０１４７】
この場合、例えば、「Ａさんは現在エリアＡＰ２にいます。」を表示するようにしてもよい（図１３のＢ）。また、アクセスポイントと部署との対応マスタを利用して、「Ａさんは現在研究部にいます。」や「Ａさんの内線番号は１１です。」（図１３のＣ）等を表示してもよい。
【０１４８】
５−４．
上記実施形態においては、図９に示す各機能を実現する為に、ＣＰＵを用いソフトウェアによってこれを実現している。しかし、その一部もしくは全てを、ロジック回路等のハードウェアによって実現してもよい。なお、プログラムの一部の処理をさらに、オペレーティングシステム（ＯＳ）にさせるようにしてもよい。
【０１４９】
［要約」
［課題］従来の構内電話網およびＬＡＮ網を有効に活用してコストを抑えつつ、ＬＡＮ網に接続された端末装置を容易にロックすることのできる端末ロックシステムを提供する。
【０１５０】
［手段］ユーザＡがユーザＰＣを使用している場合、ユーザＰＣのアクセスポイントＡＰ１−１は、内線電話＿ＡのアクセスポイントＡＰ１−２と同一範囲内にある。ユーザＡが内線電話＿Ａを所持したまま移動すると、内線電話＿ＡのアクセスポイントがＡＰ１−２からＡＰ２−２に変更される。ＰＢＸ装置１３０は、内線電話＿Ａの現在のアクセスポイントがＡＰ２−２である旨を接続制御サーバ装置１１０に通知する。接続制御サーバ装置１１０は、内線電話＿Ａの現在のアクセスポイントＡＰ２−２を記録部に記録する。ユーザＰＣのアクセスポイントＡＰ１−１と、内線電話＿ＡのアクセスポイントＡＰ２−２は、同一範囲内にないと判断できるため、ユーザＰＣを端末ロックするための処理を行う。
【０１５１】
［選択図］  図９
【図面の簡単な説明】
【０１５２】
【図１】接続制御システムの全体を示す機能ブロック図である。
【図２】接続制御サーバのハードウエア構成を示す図である。
【図２ａ】ＰＢＸ装置のハードウエア構成を示す図である。
【図２ｂ】ＰＣ端末装置のハードウエア構成を示す図である。
【図３】接続制御システムの全体フローチャートである。
【図３ａ】接続制御システムの全体フローチャートである。
【図４】接続制御システムの全体フローチャートである。
【図４ａ】接続制御システムの全体フローチャートである。
【図５】ユーザ管理データベースを示す図である。
【図６】端末対応関係データベースを示す図である。
【図７】ＰＣ＿Ａのディスプレイ画面を示す図である。
【図７ａ】内線電話＿ＡおよびＰＣ＿Ａのディスプレイ画面を示す図である。
【図８】ＰＣ＿Ｂのディスプレイ画面を示す図である。
【図９】端末ロックシステムの全体を示す機能ブロック図である。
【図１０】ユーザＰＣのハードウエア構成を示す図である。
【図１１】端末対応関係データベースを示す図である。
【図１２】端末ロックシステムの全体フローチャートである。
【図１３】ユーザＰＣのディスプレイ画面を示す図である。
【符号の説明】
【０１５３】
１：ＬＡＮ網
２：ＰＢＸ網
１１０：接続制御サーバ装置
１３０：ＰＢＸ装置
【図１】
2009094766.tif 000003
【図２】
2009094766.tif 000004
【図２ａ】
2009094766.tif 000005
【図２ｂ】
2009094766.tif 000006
【図３】
2009094766.tif 000007
【図３ａ】
2009094766.tif 000008
【図４】
2009094766.tif 000009
【図４ａ】
2009094766.tif 000010
【図５】
2009094766.tif 000011
【図６】
2009094766.tif 000012
【図７】
2009094766.tif 000013
【図７ａ】
2009094766.tif 000014
【図８】
2009094766.tif 000015
【図９】
2009094766.tif 000016
【図１０】
2009094766.tif 000017
【図１１】
2009094766.tif 000018
【図１２】
2009094766.tif 000019
【図１３】
2009094766.tif 000020